(57)【要約】【課題】従来の、屈曲部に続く上り部が屈曲部より縮径されている排水トラップにおいて、ディスポーザを利用する場合、縮径部分が屈曲部を境に急激に縮径されているために、この縮径部分に、排水と共に流れ込んだ、ディスポーザを通った後の繊維質の残留分が滞留し詰まりを生じさせる虞があった。【解決手段】排水口に連結され、前記排水口から下流側に向かって流路が下降する第一下がり部１１と、下流側に向かって流路が上昇する第一上がり部１３と、第一下がり部１１と第一上がり部１３を繋ぐ、流路が屈曲する底部１２と、を有し、第一下がり部１１は、少なくとも流路に沿った一部で、下流側に向かうに連れて流路径が縮径していく縮径部１７を有し、縮径部１７の最小流路径は、第一上がり部１３の最大流路径以上である。【選択図】図１
2018048533.tif 000002
【特許請求の範囲】
【請求項１】
排水口に連結され、前記排水口から下流側に向かって流路が下降する第一下がり部と、
下流側に向かって流路が上昇する第一上がり部と、
前記第一下がり部と前記第一上がり部を繋ぐ、流路が屈曲する底部と、を有し、
前記第一下がり部は、少なくとも流路に沿った一部で、下流側に向かうに連れて流路径が縮径していく縮径部を有し、前記縮径部の最小流路径は、前記第一上がり部の最大流路径以上である、ことを特徴とする排水トラップ。
【請求項２】
前記縮径部は、一定の変化率で縮径していく、請求項１に記載の排水トラップ。
【請求項３】
前記縮径部の最大流路径をａ、最小流路径をｂ、流路方向長さをｃとして、
０．０３≦（ａ−ｂ）／ｃ≦０．５
である、請求項２に記載の排水トラップ。
【請求項４】
前記底部の流路径は、前記底部の軸方向全長にわたって一定である、請求項１から３の何れか一項に記載の排水トラップ。
【請求項５】
前記第一上がり部の下流側で、下流側に向かって流路が下降する第二下がり部と、
前記第一上がり部と前記第二下がり部を繋ぐ、流路が屈曲する頂部と、を更に有し、
前記頂部は、下流側に向かうに連れて流路径が縮径していく、請求項１から４の何れか一項に記載の排水トラップ。
【発明の詳細な説明】
【技術分野】
【０００１】
本発明は、排水の流路に設けられる排水トラップに関するものである。
【背景技術】
【０００２】
従来、キッチンシンクや洗面台等からの排水の流路下流に設けられる、流路内部に封水を有する排水トラップが知られている。排水トラップの封水により、排水トラップの下流側から臭気や害虫等が排水トラップの上流側へと侵入するのを防ぐことができる。
この排水トラップを備えた排水構造において、排水力を高めると共に少ない面積で施工することができる、サイフォン現象を利用した排水システムが提案されている。このような排水システムを構成するものとして、例えば、排水トラップ（特許文献１参照）がある。
【０００３】
この排水トラップにおいては、流路の、封水が位置する屈曲部の下流側である上り部が、屈曲部からの立ち上げ部分より縮径（通水面積が狭く）されており、また、屈曲部に清掃口が設けられている。これにより、屈曲部において減速された排水が立ち上がり部分において加速し、流速にムラを生じさせることなく好適にサイフォン現象を生じさせると共に、配管内に詰まりが生じた際の清掃性を向上させている。
【先行技術文献】
【特許文献】
【０００４】
【特許文献１】特開２０１５−９８７０２号公報
【発明の概要】
【発明が解決しようとする課題】
【０００５】
ところで、近年、キッチンシンクの排水トラップの上流側に設置して、野菜くず等の生ごみを主とする厨芥を粉砕するディスポーザの利用が増えているが、繊維質が多く含まれる生ごみの場合、ディスポーザを通した後の繊維質の残留が多くなるのが避けられなかった。
このため、従来の、屈曲部に続く上り部が屈曲部より縮径されている排水トラップにおいて、ディスポーザを利用する場合、縮径部分が屈曲部を境に急激に縮径されているために、この縮径部分に、排水と共に流れ込んだ、ディスポーザを通った後の繊維質の残留分が滞留し詰まりを生じさせる虞があった。
【０００６】
そこで、この発明の目的は、排水と共に流れ込んだ繊維質等の残留が多くても残留分を滞留し難くし、滞留による詰まりの発生を抑制することができる排水トラップを提供することである。
【課題を解決するための手段】
【０００７】
上記目的を達成するため、この発明に係る排水トラップは、排水口に連結され、前記排水口から下流側に向かって流路が下降する第一下がり部と、下流側に向かって流路が上昇する第一上がり部と、前記第一下がり部と前記第一上がり部を繋ぐ、流路が屈曲する底部と、を有し、前記第一下がり部は、少なくとも流路に沿った一部で、下流側に向かうに連れて流路径が縮径していく縮径部を有し、前記縮径部の最小流路径は、前記第一上がり部の最大流路径以上である、ことを特徴とする。この発明に係る排水トラップによれば、排水と共に流れ込んだ繊維質等の残留が多くても残留分を滞留し難くし、滞留による詰まりの発生を抑制することができる。
【０００８】
この発明の排水トラップでは、前記縮径部は、一定の変化率で縮径していく、ことが好ましい。この構成によれば、排水の流れをより滑らかにすることができる。
この発明の排水トラップでは、前記縮径部の最大流路径をａ、最小流路径をｂ、流路方向長さをｃとして、０．０３≦（ａ−ｂ）／ｃ≦０．５である、ことが好ましい。この構成によれば、排水と共に流れ込んだ繊維質等の残留が多くても残留分をより滞留し難くし、滞留による詰まりの発生をより抑制することができる。
この発明の排水トラップでは、前記底部の流路径は、前記底部の軸方向全長にわたって一定である、ことが好ましい。この構成によれば、底部の排水流路における排水の流れを滑らかにすることができる。
【０００９】
この発明の排水トラップでは、前記第一上がり部の下流側で、下流側に向かって流路が下降する第二下がり部と、前記第一上がり部と前記第二下がり部を繋ぐ、流路が屈曲する頂部と、を更に有し、前記頂部は、下流側に向かうに連れて流路径が縮径していく、ことが好ましい。この構成によれば、頂部の排水流路における流速を早めることができる。
【発明の効果】
【００１０】
この発明によれば、排水と共に流れ込んだ繊維質等の残留が多くても残留分を滞留し難くし、滞留による詰まりの発生を抑制することができる。
【図面の簡単な説明】
【００１１】
【図１】この発明の一実施の形態に係る排水トラップの外観図である。
【図２】図１の排水トラップの内部構造を示す、流路に沿った断面図である。
【発明を実施するための形態】
【００１２】
以下、この発明を実施するための一形態について図面を参照して説明する。
図１及び図２に示すように、本実施形態の排水トラップ１０は、図示しない排水口に連結され、排水口から下流側に向かって流路が下降する第一下がり部１１と、第一下がり部１１と後述する第一上がり部１３を繋ぐ、流路が屈曲する底部１２と、下流側に向かって流路が上昇する第一上がり部１３と、第一上がり部１３と後述する第二下がり部１５を繋ぐ、流路が屈曲する頂部１４と、第一上がり部１３の下流側で、下流側に向かって流路が下降する第二下がり部１５と、を有している。
【００１３】
この排水トラップ１０は、キッチンシンクや洗面台等からの排水の流路下流に設けられており、本実施形態では、キッチンシンク（図示しない）の排水口に設置されたディスポーザ（図示しない）の下流側に取り付けられている。ディスポーザは、野菜くず等の生ごみを主とする厨芥を粉砕するものであり、ディスポーザによって粉砕された厨芥は、ディスポーザ内に流入した排水と共に排水トラップ１０へと排出される。
本実施形態の排水トラップ１０は、管体を底部１２及び頂部１４においてそれぞれ約１８０°屈曲して形成された略Ｓ字型の排水トラップであって、少なくとも底部１２に封水を形成する。この封水により、排水トラップ１０の下流側から臭気や害虫等が排水トラップ１０の上流側へと侵入するのを防ぐことができる。
【００１４】
第一下がり部１１は、本実施形態において、下流側に向かって管体が略垂直に配置されることによって形成された排水流路であり、排水トラップ１０の最上流側に位置して、ディスポーザからの排水流路に連通すると共に、その下端から屈曲して底部１２に連通している。なお、第一下がり部１１は、上端側の内部に、ディスポーザに連通する配管１６を挿入するため、上端部がやや拡径しているが、ディスポーザに連通する配管１６と第一下がり部１１のそれぞれの内面は面一に連続する。
この第一下がり部１１は、少なくとも流路に沿った一部で、下流側に向かうに連れて流路径（即ち、管体内径）が縮径していく縮径部１７を有しており、縮径部１７の最小流路径は、第一上がり部１３の最大流路径以上に形成されている。本実施形態において、縮径部１７は、下流側に向かうに連れて流路径（即ち、管体内径）が一定の変化率で縮径している。
【００１５】
本実施形態の縮径部１７は、第一下がり部１１の上端側に挿入される、ディスポーザに連通する配管１６の下流側に、上流側と下流側で流路径（即ち、管体内径）を異ならせた連結部１８を介して、上流側端部が連続している。本実施形態において、縮径部１７は、第一下がり部１１の一部からなる、截頭円錐体を逆（下）向きにした形状を有し、上流側端部は縮径部１７の最大流路径となり、下流側端部は縮径部１７の最小流路径となって底部１２に連続している。
【００１６】
縮径部１７の縮径率は、本実施形態において、縮径部１７の最大流路径をａ、最小流路径をｂ、流路方向長さ（即ち、上流側端部から下流側端部までの長さ）をｃとして、
０．０３≦（ａ−ｂ）／ｃ≦０．５
に設定される。なお、０．０５≦（ａ−ｂ）／ｃ≦０．２に設定することがより好ましい。
第一下がり部１１が縮径部１７を有することにより、縮径部１７においてディスポーザに連通する配管１６から流れ込んだ排水の流速が上昇すると共に、縮径部１７の内部が排水及び粉砕された後の厨芥で満たされた状態になり、サイフォン現象が発生する。これにより、排水トラップ１０内において、排水流路を流れる排水が下流側へと引き込まれるように負圧が発生し、更に排水の流速が加速される。また、縮径部１７の流路径が一定の変化率で縮径している場合、排水の流れをより滑らかにすることができる。
【００１７】
底部１２は、本実施形態において、管体を約１８０°屈曲して、上向きの略Ｕ字状に形成され、第一下がり部１１と第一上がり部１３とを繋いで連通している。底部１２の略最低部となる位置には、外部に開口する清掃口１９が開けられており、清掃口１９の外部に形成された外壁部１９ａには、キャップ（図示しない）が螺着される。なお、キャップは、清掃口１９と水密に螺合するので、清掃口１９から漏水することはない。
底部１２の流路径（即ち、管体内径）は、本実施形態において、第一下がり部１１と底部１２との連結端から、底部１２と第一上がり部１３との連結端までの、底部１２の流路全長にわたって、一定である。この一定には、同一であることに加えて、１０％の範囲の増減を有するものを含むものとする。
【００１８】
底部１２の流路全長にわたって流路径が一定であることから、底部１２の排水流路における排水の流れを滑らかにすることができる。つまり、底部１２における流路抵抗を極力無くすことができるので、第一下がり部１１を経て流れ込んだ排水は、粉砕された後の厨芥を含んだまま、屈曲した流路であっても途中で滞ることなく、底部１２の排水流路を滑らかに流れていく。
【００１９】
このように、第一下がり部１１を経て流れ込んだ排水は、排水と共に流れ込んだ繊維質等の残留が多くても残留分を滞留し難くし、滞留による詰まりの発生を抑制することができる。特に、本実施形態においては、ディスポーザ１６を通った後の繊維質等の残留が多くても、サイフォン現象の発生により排水の流速が加速された後に、第一下がり部１１と底部１２との連結部で乱流を発生させることなく、底部１２を滑らかに流れていくので、残留分を滞留し難くし、排水流路、特に屈曲した流路での、滞留による詰まりの発生を抑制することができる。
【００２０】
第一上がり部１３は、本実施形態において、排水トラップ１０の上流側から下流側に向けて管体が略垂直に配置されることによって形成された排水流路であり、底部１２から立ち上がって頂部１４に連通している。第一上がり部１３の流路径（即ち、管体内径）は、底部１２と第一上がり部１３との連結端から、第一上がり部１３と頂部１４との連結端までの、第一上がり部１３の流路全長にわたって、一定である。この一定には、同一であることに加えて、１０％の範囲の増減を有するものを含むものとする。
【００２１】
従って、本実施形態において、底部１２と第一上がり部１３が形成する排水流路の流路径（即ち、管体内径）は、排水流路全長にわたって一定となり、加えて、底部１２に連通する、縮径部１７の最小流路径は、第一上がり部１３の最大流路径以上なので、第一下がり部１１から、底部１２を経て第一上がり部１３に流れ込んだ排水は、粉砕された後の厨芥を含んだまま、滞ることなく、排水流路を滑らかに流れていく。
頂部１４は、本実施形態において、管体を約１８０°屈曲して、下向きの略Ｕ字状に形成され、第一上がり部１３と第二下がり部１５とを繋いで連通している。
【００２２】
頂部１４の流路径（即ち、管体内径）は、本実施形態において、頂部１４の第一上がり部１３との連結端から、頂部１４の第二下がり部１５との連結端までの、頂部１４の流路全長にわたって、下流側へと向かうに連れて縮径している。
頂部１４が、下流側へと向かって下降するに連れて縮径していることにより、頂部１４においてサイフォン現象が発生する。これにより、頂部１４の排水流路における流速を早めることができ、排水トラップ１０内において、排水流路を流れる排水が下流側へと引き込まれるように負圧が発生し、更に排水の流速が加速される。なお、頂部１４が、一定の変化率で縮径する場合、排水の流れをより滑らかにすることができる。
【００２３】
頂部１４の略最高部となる位置には、外部に開口する通気弁口２０が開けられており、通気弁口２０の外部に形成された外壁部２０ａには、通気弁（図示しない）の取付部が螺着される。この通気弁口２０は、本実施形態において、頂部１４の略最高部となる、頂部１４の流路方向長さの略中心に配置され、外壁部２０ａは、通気弁口２０の開口面中心線を軸とする回転体となる、上部が略均等に拡径した略お椀形状を有している。
第二下がり部１５は、本実施形態において、下流側に向かって管体が略垂直に配置されることによって形成された排水流路であり、排水トラップ１０の最下流側に位置して、排水トラップ１０が配置される排水システムの流路下流側に連通する。
【符号の説明】
【００２４】
１０：排水トラップ、  １１：第一下がり部、  １２：底部、  １３：第一上がり部、  １４：頂部、  １５：第二下がり部、  １６：ディスポーザに連通する配管、  １７：縮径部、  １８：連結部、  １９：清掃口、  １９ａ：外壁部、  ２０：通気弁口、  ２０ａ：外壁部
【図１】
2018048533.tif 000003
【図２】
2018048533.tif 000004